(57)【特許請求の範囲】
【請求項１】
自動車の車室内を換気するための換気手段（３００）と、
前記車室内に数種類のニオイを放出するためのニオイ放出手段（７２）と、
先だって放出されたニオイと異なるニオイを前記ニオイ放出手段によって放出する場合には、前記異なるニオイの放出に先だって前記車室内を換気させるように前記換気手段を制御する制御手段（７１）と、
先行車との車間距離及び相対速度を検出する先行車検出手段（９、９１）とを有し、
前記制御手段は、前記検出された車間距離及び相対速度に応じて運転者に注意を促すニオイを放出させるように前記ニオイ放出手段を制御することを特徴とする車載ニオイ発生装置。
【請求項２】
前記換気手段は、ファンによる強制換気によって、前記車室内を換気することを特徴とする請求項１に記載の車載ニオイ発生装置。
【請求項３】
ウインドシールドを開状態にするように駆動する駆動手段（３１０）を有し、
前記車室内の換気は、前記駆動手段によって前記ウインドシールドを開状態にすることによって行うことを特徴とする請求項１に記載の車載ニオイ発生装置。
【請求項４】
自動車の車室内の空気を循環させる内気循環モードと、前記車室内に外気を導入させる外気導入モードとのうちいずれか一方を行うための換気手段（３００）と、
前記車室内にニオイを放出するためのニオイ放出手段（７２）と、
前記内気循環モードと前記外気導入モードとで前記ニオイの発生強度を変えるように前記ニオイ放出手段を制御する制御手段（７１）と、
先行車との車間距離及び相対速度を検出する先行車検出手段（９、９１）とを有し、
前記制御手段は、前記検出された車間距離及び相対速度に応じて運転者に注意を促すニオイを放出させるように前記ニオイ放出手段を制御することを特徴とする車載ニオイ発生装置。
【請求項５】
前記ニオイの発生強度は、前記外気導入モードに比べて前記内気循環モードの方が小さくなるように設定されていることを特徴とする請求項４に記載の車載ニオイ発生装置。
【請求項６】
前記ニオイの発生強度は、前記外気導入モードにて、前記外気の導入風量が多くなるに従って大きくなるように設定されることを特徴とする請求項４又は５に記載の車載ニオイ発生装置。
【請求項７】
自動車のウインドシールドの開閉状態を検出するウインド検出手段（３２０）と、
自動車の車室内にニオイを放出するためのニオイ放出手段（７２）と、
前記ウインド検出手段により検出された開閉状態に応じて前記ニオイの発生強度を変化させるように前記ニオイ放出手段を制御する制御手段（７１）と、
先行車との車間距離及び相対速度を検出する先行車検出手段（９、９１）とを有し、
前記制御手段は、前記検出された車間距離及び相対速度に応じて運転者に注意を促すニオイを放出させるように前記ニオイ放出手段を制御することを特徴とする車載ニオイ発生装置。
【請求項８】
自動車の走行時において、前記ニオイ放出手段から放出されるニオイの発生強度は、前記ウインドシールドの開度が大きくなるに従って大きくなるように設定されていることを特徴とする請求項７に記載の車載ニオイ発生装置。
【請求項９】
前記ウインドシールドが開状態のとき、前記ニオイ放出手段から放出されるニオイの発生強度は、前記自動車の速度が大きくなるに従って大きくなるように設定されていることを特徴とする請求項７または８に記載の車載ニオイ発生装置。
【請求項１０】
自動車の車室内の湿度を検出する湿度検出手段（３４０）と、
前記車室内にニオイを放出するためのニオイ放出手段（７２）と、
前記湿度検出手段により検出された湿度に応じてニオイの発生強度を変化させるように前記ニオイ放出手段を制御する制御手段（７１）と、
先行車との車間距離及び相対速度を検出する先行車検出手段（９、９１）とを有し、
前記制御手段は、前記検出された車間距離及び相対速度に応じて運転者に注意を促すニオイを放出させるように前記ニオイ放出手段を制御することを特徴とする車載ニオイ発生装置。
【請求項１１】
前記ニオイ放出手段から放出されるニオイの発生強度は、前記検出された湿度が低くなるに従って大きくなるように設定されていることを特徴とする請求項１０に記載の車載ニオイ発生装置。
【請求項１２】
自動車の車室内にニオイを放出するためのニオイ放出手段（７２）と、
時間の経過と共にニオイ放出条件を変化させるように前記ニオイ放出手段を制御する制御手段（７１）と、
先行車との車間距離及び相対速度を検出する先行車検出手段（９、９１）とを有し、
前記制御手段は、前記検出された車間距離及び相対速度に応じて運転者に注意を促すニオイを放出させるように前記ニオイ放出手段を制御することを特徴とする車載ニオイ発生装置。
【請求項１３】
前記ニオイ放出条件の変化は、前記ニオイの放出強度を前記時間の経過と共に大きくすることであることを特徴とする請求項１２に記載の車載ニオイ発生装置。
【請求項１４】
前記ニオイ放出条件の変化は、前記ニオイ放出手段によって前記ニオイを断続的に発生させることであることを特徴とする請求項１２に記載の車載ニオイ発生装置。
【請求項１５】
自動車の乗員に情報を提供する提供手段（３）を有し、
前記制御手段は、前記情報の提供されるタイミングにあわせて断続的に異なるニオイを放出させるように前記ニオイ放出手段を制御することを特徴とする請求項１〜１４のうちいずれか１つに記載の車載ニオイ発生装置。
【請求項１６】
前記車室内に数種類のニオイを放出するためのニオイ放出手段（７２）と、
前記数種類のニオイのうち第１のニオイを前記ニオイ放出手段から放出させる第１の放出手段（Ｓ１１０）と、
前記第１の放出手段により前記第１のニオイを前記ニオイ放出手段から放出させた後、前記ニオイ放出手段から前記第１のニオイを放出させることを停止する停止手段（Ｓ１２０）と、
前記停止手段により前記第１のニオイの放出を停止した後に、前記数種類のニオイのうち前記第１のニオイと異なる第２のニオイを前記ニオイ放出手段から放出させる第２の放出手段（Ｓ２７０）と、
自動車の車室内を換気するためにウインドシールドを開状態にするように駆動する駆動手段（３１０）と、
前記停止手段により前記第１のニオイの放出を停止した後で、前記第２の放出手段により前記第２のニオイを前記ニオイ放出手段から放出させる前に、前記車室内を換気させるために、前記駆動手段を制御して前記ウインドシールドを開状態にする制御手段（Ｓ２４０）と
を有することを特徴とする車載ニオイ発生装置。
【請求項１７】
自動車のウインドシールドの開閉状態を検出するウインド検出手段（３２０）と、
自動車の車室内にニオイを放出するためのニオイ放出手段（７２）と、
前記ウインド検出手段により検出された開閉状態に応じて前記ニオイの発生強度を変化させるように前記ニオイ放出手段を制御する制御手段（７１）とを有し、
前記ウインドシールドが開状態のとき、前記ニオイ放出手段から放出されるニオイの発生強度は、前記自動車の速度が大きくなるに従って大きくなるように設定されていることを特徴とする車載ニオイ発生装置。
【発明の詳細な説明】
【０００１】
【発明の属する技術分野】
本発明は、自動車に搭載されたニオイ発生装置に関するものである。
【０００２】
【従来の技術】
自動車の車室内は狭い密室空間であるため、車室構成材料の臭い、体臭、タバコの臭い、運搬荷牢の臭い、外気の臭い等様々な臭いがこもり易い。これらを除去するため、あるいは、好みの香りを付与するために車両用香水が広く用いられている。これらは香料の入った揮発性の液体からニオイ成分を、自然に気化蒸散されるような構造となっており、いってみれば、受動的なニオイ発生装置と呼ぶことができる。
【０００３】
このニオイ発生装置において、臭いの強さ調整は、通常、開口部の面積を手動で変えることによってニオイ成分の蒸散量を変えられる。しかし、ウインドシールドの開閉状態、外気導入の有無といった車の状態、若しくは、気温の変化等によってこまめに調整されないと、夏の暑い時やウインドシールドを締め切った時には、強い臭いが充満し、逆に、冬やウインドシールドを開け放した時には臭いがしない、という状態が発生する。
【０００４】
一方、特開平９−２９２８２４号公報、特開平９−２８４２７３号公報、及び、特開平７−５５７４２号公報に示されているごとく、ニオイを符号化し、それを他の情報と一緒に伝送、あるいは記録媒体に記録し、ニオイ再生器において様々なニオイを合成する能動的なニオイ発生機能が最近提案されている。このように、単に車室内を一定のニオイで満たすということに止まらず、種々のニオイを状況に合わせて適応的に発散させることが可能になりつつある。
【０００５】
【発明が解決しようとする課題】
ところで、上述した能動的なニオイ発生装置を自動車に適用すれば、例えば、車の中で受信するテレビ放送において、映像場面に応じた様々なニオイを発生することができ、臨場感を高めることができる。また、コマーシャルにおいては視聴者の琴線に触れるニオイを付加することによって宣伝効果を大きく向上させ、店までの経路案内を行うことによりそのまま自動車で来店してもらうも期待できる。
【０００６】
また、乗員の状況に応じて覚醒度を高めるニオイを発生したり、疲れを癒すニオイを発生したりすることで、安全性や快適性を高めた車を携供することができる。
【０００７】
単なる車の香水としての役割であるならば、乗員がニオイを強く感じたり、感じなかったりしても特に支障ない。しかし、情報として意味を持つニオイを提供する場合、車室内の状況に適応してニオイを確実に提供することが必要である。例えば、スカトールは、糞尿のニオイを構成する臭気物質であるが、一万分の一程度の濃度であれば香水の成分としても用いられる。即ち、上記のように種々のニオイを状況に合わせて適応的に発散させるという用途においては、先に発散したニオイとの混合をなくすことや適切な濃度を乗員に伝える、ということが必要となる。
【０００８】
本発明は、このような課題に対してなされたものである。
【０００９】
【課題を解決するための手段】
本発明は、上記目的を達成するために、請求項１に記載の発明では、自動車の車室内を換気するための換気手段（３００）と、車室内に数種類のニオイを放出するためのニオイ放出手段（７２）と、先だって放出されたニオイと異なるニオイをニオイ放出手段によって放出する場合には、異なるニオイの放出に先だって車室内を換気させるように換気手段を制御する制御手段（７１）とを有することを特徴とする。
【００１０】
これにより、車室内を換気させることにより、先だって放出されたニオイを除去できるため、先だって放出されたニオイと前記異なるニオイとの混合を防止できる。さらに、請求項２に記載の発明のように、換気手段は、車室内に強制的に外気を導入することにより、車室内を換気すれば、先だって放出されたニオイを効率的に除去できる。
【００１１】
また、請求項３に記載の発明のように、ウインドシールドを開状態にするように駆動する駆動手段（３１０）を有し、車室内の換気は、駆動手段によってウインドシールドを開状態にすることによって行うようにしてもよい。
【００１２】
請求項４に記載の発明では、自動車の車室内の空気を循環させる内気循環モードと、車室内に外気を導入させる外気導入モードとのうちいずれか一方を行うための換気手段（３００）と、車室内にニオイを放出するためのニオイ放出手段（７２）と、内気循環モードと外気導入モードとでニオイの発生強度を変えるようにニオイ放出手段を制御する制御手段（７１）とを有することを特徴とする。これにより、内気循環モード、外気導入モードといった換気状態に応じて、適切にニオイの発生強度を変えることができる。
【００１３】
請求項５に記載の発明のように、ニオイの発生強度を、外気導入モードに比べて内気循環モードの方が小さくなるように設定すれば、適切な強度のニオイを乗員に提供できる。また、請求項６に記載の発明のように、ニオイの発生強度は、外気導入モードにて、外気の導入風量が多くなるに従って大きくなるように設定されるようにすれば、適切な強度のニオイを乗員に提供できる。
【００１４】
請求項７に記載の発明では、自動車のウインドシールドの開閉状態を検出するウインド検出手段（３２０）と、自動車の車室内にニオイを放出するためのニオイ放出手段（７２）と、ウインド検出手段により検出された開閉状態に応じてニオイの発生強度を変化させるようにニオイ放出手段を制御する制御手段（７１）とを有することを特徴とする。
【００１５】
これにより、制御手段は、開閉状態に応じてニオイの発生強度を変化させるようにニオイ放出手段を制御するため、ウインドシールドの開閉状態にあわせてニオイの発生強度を変化させることによって適切な強さのニオイを乗員に提供することができる。
【００１６】
請求項８に記載の発明では、ウインドシールドが開状態で走行した場合の換気状態の変化を勘案し、自動車の走行時において、ニオイ放出手段から放出されるニオイの発生強度は、ウインドシールドの開度が大きくなるに従って大きくなるように設定すれば、適切な強さのニオイを乗員に提供することができる。
【００１７】
請求項９に記載の発明では、ウインドシールドが開状態のとき、ニオイ放出手段から放出されるニオイの発生強度は、自動車の速度が大きくなるに従って大きくなるように設定されていることを特徴とする。これにより、速度が大きくなるに従ってニオイの発生強度を大きくすることで適切な強さのニオイを乗員に提供することができる。
【００１８】
請求項１０に記載の発明では、自動車の車室内の湿度を検出する湿度検出手段（３４０）と、車室内にニオイを放出するためのニオイ放出手段（７２）と、湿度検出手段により検出された湿度に応じてニオイの発生強度を変化させるようにニオイ放出手段を制御する制御手段（７１）とを有することを特徴とする。これにより、車室内の温度に応じてニオイの発生強度を変化させることで温度による人間の嗅覚感度の変化を補正し、適切な強さのニオイを乗員に提供することができる。
【００１９】
請求項１１に記載の発明では、ニオイ放出手段から放出されるニオイの発生強度は、検出された湿度が低くなるに従って大きくなるように設定されていることを特徴とする。これにより、車室内の湿度が低くなるに従ってニオイ発生強度を大きくすることによって湿度による人間の嗅覚感度の変化を補正し、適切な強さのニオイを乗員に提供することができる。
また、一定時間以上にわたって同じニオイを嗅ぎ続ける場合、人間の嗅覚が鈍化する。従って、請求項１２に記載の発明のように、ニオイ放出手段（７２）は、自動車の車室内にニオイを放出し、制御手段（７１）は、時間の経過と共にニオイ放出条件を変化させるようにニオイ放出手段を制御すれば、時間と共にニオイ放出条件を変化させることによって一定時間以上にわたって同じニオイを嗅ぎ続ける場合の人間の嗅覚鈍化を防止し、適切な強さのニオイを乗員に提供することができる。
【００２０】
具体的には、請求項１３に記載の発明のように、ニオイ放出条件の変化として、ニオイの放出強度を時間の経過と共に大きくしてもよく、請求項１４に記載の発明のように、ニオイ放出条件の変化として、ニオイ放出手段によってニオイを断続的に発生させてもよい。
【００２１】
請求項１５に記載の発明では、自動車の乗員に情報を提供する提供手段（３）を有し、制御手段は、情報の提供されるタイミングにあわせて断続的に異なるニオイを放出させるようにニオイ放出手段を制御することを特徴とする。これにより、提供手段から提供される情報のリアリティを高めることができる。
【００２２】
請求項１６に記載の発明では、前記車室内に数種類のニオイを放出するためのニオイ放出手段（７２）と、
前記数種類のニオイのうち第１のニオイを前記ニオイ放出手段から放出させる第１の放出手段（Ｓ１１０）と、
前記第１の放出手段により前記第１のニオイを前記ニオイ放出手段から放出させた後、前記ニオイ放出手段から前記第１のニオイを放出させることを停止する停止手段（Ｓ１２０）と、
前記停止手段により前記第１のニオイの放出を停止した後に、前記数種類のニオイのうち前記第１のニオイと異なる第２のニオイを前記ニオイ放出手段から放出させる第２の放出手段（Ｓ２７０）と、
自動車の車室内を換気するためにウインドシールドを開状態にするように駆動する駆動手段（３１０）と、
前記停止手段により前記第１のニオイの放出を停止した後で、前記第２の放出手段により前記第２のニオイを前記ニオイ放出手段から放出させる前に、前記車室内を換気させるために、前記駆動手段を制御して前記ウインドシールドを開状態にする制御手段（Ｓ２４０）とを有することを特徴とする。
【００２３】
請求項１、４、７、１０、１２に記載の発明では、先行車との車間距離及び相対速度を検出する先行車検出手段（９、９１）を有し、制御手段は、検出された車間距離及び相対速度に応じて運転者に注意を促すニオイを放出させるようにニオイ放出手段を制御することを特徴とする。これにより、ニオイを放出することによって、車間距離及び相対速度に応じて運転者に注意を促すことができるため、運転の安全性を高めることができる。
【００２４】
請求項１７に記載の発明では、自動車のウインドシールドの開閉状態を検出するウインド検出手段（３２０）と、
自動車の車室内にニオイを放出するためのニオイ放出手段（７２）と、
前記ウインド検出手段により検出された開閉状態に応じて前記ニオイの発生強度を変化させるように前記ニオイ放出手段を制御する制御手段（７１）とを有し、
前記ウインドシールドが開状態のとき、前記ニオイ放出手段から放出されるニオイの発生強度は、前記自動車の速度が大きくなるに従って大きくなるように設定されていることを特徴とする。
【００２７】
因みに、上記各手段の括弧内の符号は、後述する実施形態に記載の具体的手段との対応関係を示す一例である。
【００２８】
【発明の実施の形態】
（第１実施形態）
以下、本発明の第１実施形態について添付図面に基づいて説明する。第１実施形態は、車載テレビを通して提供される番組やコマーシャルの情報価値を高めるために、画像や音に合せてニオイを発生するシステムにおいて、様々なニオイが混合しないようにするための空調システムに関するものである、
図１は、車載テレビを通して提供される番組やコマーシャルの情報価値を高めるために画像や音に合せてニオイも発生するシステムの概念を示すものである。
【００２９】
図１において、１は車載テレビの受信機、２は空調装置の吹き出し口、３は車載テレビの受像ディスプレイ、４は画像や音に合せて放出されるニオイ、５は自動車の操舵装置である。
【００３０】
図１の例で言えば、ホームドラマ番組における一場面として「お母さんが手作りしたパンを子供におやつとして与える」場面を想定しており、この場面に際して焼き立ての香ばしいパンのニオイが放出される。
【００３１】
図２はテレビに映像情報、音声情報と同期してニオイ情報を伝達するシステムのブロック構成の一例を示したものである。図２において、６はテレビ放送を送出するテレビ局、７はニオイを再生するニオイ再生器を示している。
【００３２】
映像情報・音声情報６１と同期されたデジタルのニオイコード６２１は、Ｄ／Ａ変換器６３でアナログ信号に変換され、多重化装置６４によって映像情報・音声情報６１と多重化される。さらに、変調器６５によってＦＭ変調され、送信機６６において増幅や周波数変換された後に電波として送信アンテナ６７から空中に送出される。これは、例えば、洋画放送において原語音声が副音声チャンネルで多重放送されていることと同様の方式である。
【００３３】
一方、受信側において、受信アンテナ１１で電波を受信し、受信機１２において増幅や周波数変換を行った後に復調器１３で復調される。装置１４で多重化信号を分離した後、伝送されてきた映像情報・音声情報１６はテレビの受像ディスプレイ３に送られて映像・音声を再生する。
【００３４】
さらに、復元されたニオイコード１１１は、ニオイ再生器７に入力され、ニオイＣＰＵ７１にてニオイを合成するための適切な形の信号に変換され、ニオイ合成器７２でニオイを合成する。ここで、ニオイコードとは、例えば、特開平９−２９２８２４号公報に記載されたように、対象のニオイＩを基本成分毎に種類と濃度のデジタル情報に変換して対応付けしたものである。
【００３５】
なお、上記では、アナログテレビ放送を想定したが、デジタルテレビ放送であっても良い。
【００３６】
以下、ニオイ制御ＣＰＵ７１の入出力を図３に示す。ニオイ制御ＣＰＵ７１には、空調装置の設定モードを示すモード信号が入力されて、このモード信号は、空調装置における外気導入モード及び内気循環モードを示す。また、ニオイ制御ＣＰＵ７１には、ファンの強度を示すファン強度信号が入力されて、ファン強度信号は、空調装置の送風風量を示す。
【００３７】
ニオイ制御ＣＰＵ７１には、ウインドシールドの位置センサ３２０からセンサ信号が入力され、このセンサ信号は、ウインドシールドの開閉状態（開度）を示す。これとともに、運転者の脈波や体温等の生体情報監視装置信号、及び、ナビゲーションからの車載情報装置信号が入力される。
【００３８】
また、ニオイ制御ＣＰＵ７１は、レーダセンサ９、湿度センサ３３０、車速センサ３４０からのセンサ出力が入力される。ニオイ制御ＣＰＵ７１は、ニオイ合成器７２を制御する。ニオイ制御ＣＰＵ７１は、内気循環モード及び外気モードのうち一方から他方に切り替えるために空調システムのアクチュエータ３００を制御する。さらに、ニオイ制御ＣＰＵ７１は、ウインドシールドを開閉させるためにパワーウインドアクチュエータ３１０を制御する。
【００３９】
次に、ニオイ合成器７２の構成の一例を図４に示す。７２１はニオイの基本成分となる原臭気カートリッジ群であり、ここでは、８種類の原臭気カートリッジを搭載した例を図示した。原臭気カートリッジの中の原臭気材料は、各々のカートリッジに設けられた吐出装置７２２によってニオイコードで規定される量を吐出する。
【００４０】
なお、世の中のニオイを全て表すために必要となるニオイの基本成分は、定かではないが、４００〜５００種類と言われている。この全てを内蔵することは容易ではないが、例えば、５０種類の原臭気カートリッジを内蔵し、その吐出量を１０段階に制御すれば１０の５０乗（１０50）の種類のニオイを合成できることになる。
【００４１】
吐出装置７２２から吐出された原臭気材料は、熱源７２４で加熱され気化板７２３上で蒸発・気化し、送風機７２５で発生される風によって混合されながらニオイ合成器７２の外に搬出されてニオイを発生する。また、特開平９−２９２８２４号公報の図５に記載された構造を用いることもできる。
【００４２】
このようなシステムによって、車載テレビを通して提供される番組やコマーシャルに合せてニオイ発生することが可能となるが、車の中は一般的に狭い密室空間となっている場合が多い。狭い密室の中へ様々な異なるニオイを放出してゆくと、新しく放出したニオイが以前に放出したニオイと混合れてしまい、乗員は本来意図されたニオイとは異なるニオイを提供されることになる。
【００４３】
これを防止するため、殆どの車に搭載されている空調システムを上記の画像・音に合せてニオイも発生するシステムと連動させ、図５のフローチャートに示したごとく制御する。
【００４４】
まず、設定された風量で空調システムが運転されているとする（Ｓ１００）。そして、図１におけるパンの場面においてパンのニオイＡが放出され（Ｓ１１０）、パンの場面が終わればパンのニオイＡの放出が停止する（Ｓ１２０）。
【００４５】
次に、ニオイ制御ＣＰＵ７１は、もし空調の状態が内気循環モードであれば外気導入モードに切り替える信号を空調システムに送り、自動的に外気導入モーに切り替える（Ｓ１３０、Ｓ１４０）。
【００４６】
次に、換気能力を高めるために最大風力で外気導入して換気を行い（Ｓ１５０）、設定時間経過後に内気循環モードに戻す（Ｓ１６０）。そして風量を通常設定値に戻し（Ｓ１７０）、異なる場面における例えば花のニオイを放出する（Ｓ１８０）。
【００４７】
もし、空調の状態が外気導入モードであればそのままの状態で最大風力運転を行い外気導入して換気を行う（Ｓ１８０）。設定時間経過後に風量を通常設定値に戻し（Ｓ１９０）、異なる場面における例えば花のニオイＢを放出する（Ｓ２００）。
【００４８】
これにより、車載テレビを通して提供される番組やコマーシャルに合せて発生せれた場面場面のニオイが混合することが無くなり、乗員は本来意図されたニオイの提供を受けるこができる。なお、ここでは、最大風力で換気するとしたが、これに限るものではなく、その車の換気能力やファン騒音を考慮して適切な設定値とすればよい。
【００４９】
さらに、上記第１実施形態では、車載テレビの画像や音に合せてニオイも発生するシステムについて説明したが、これに限らず、ラジオ放送の音に合わせてニオイも発生するシステムを採用してもよい。
【００５０】
この場合の構成を図６に示す。図６は、音声情報と同期してニオイ情報を伝達するシステムのブロック構成の一例を示したものである。
【００５１】
１は音声放送を送出する無線局、２は音声放送を受信する受信機、３は音声信号を再生するスピーカ、４はニオイを再生するニオイ再生器を示している。
【００５２】
通常のＦＭ放送では、アナログの音声信号１１が変調器１２によってＦＭ変調され、送信機１３において増幅や周波数変換された後に電波として送信アンテナ１４から空中に送出される。
【００５３】
受信側では、受信アンテナ２１で電波を受信し、受信機において増幅や周波数変換を行った後に復調器２３で復調され、さらに、音声増幅器２４でスピーカ３を駆動するのに十分な電力まで増幅され、スヒーカ３によって音声情報を再生する。
【００５４】
テジタル情報であるニオイコードは、変調器１７でＭＳＫ変調され、多重化装置１８で音声情報と多重化された電波として送信される。受信側では多重放送受信機２２で多重化されている情報を分離する。デジタル情報は、上記と同様に再生する。
【００５５】
多重化されていたニオイ情報は、復調器２５においてＭＳＫ復調し、もとのニオイコード２６１を再生する。ニオイコードはニオイ再生器４に入力され、ニオイＣＰＵ４１にてニオイを合成するための適切な形の信号に変換され、ニオイ合成器４２にてニオイを合成する。
【００５６】
これにより、ニオイを伴ったラジオ放送が実現できる。またオープンシアターのように駐車場に車を停め、車内ラジオで音声を再生しながら車内で映画を鑑賞する方式の映画館におけるニオイ付映画鑑賞も実現できる。
【００５７】
なお、上述ではＦＭ放送につき説明したが、これに限るものではなく、ＡＭ放送や中波放送であってもよい。また多重信号の変調方式をＭＳＫ変調としたが、これに限るものではなくどのような変調方式を用いても良い。
（第２実施形態）
次に、本発明の第２実施形態について添付図面に基づいて説明する。第２実施形態では、車のウインドシールド開閉を、上記の画像・音に合せてニオイも発生するシステムと連動させて行うことにより、換気を行うシステムに関するものである。第１実施形態では車に搭載されている空調システムを用いたが、本第２実施形態ではウインドシールドを開けることによって換気を行う。図１〜図４については本第２実施形態においても同様である。図７は、制御フローチャートを示している。
【００５８】
まず、図１におけるパンの場面においてパンのニオイＡが放出され（Ｓ１１０）、パンの場面が終わればパンのニオイＡの放出が停止する（Ｓ１２０）。次に、ニオイ制御ＣＰＵ７１は、もしウインドシールドが閉じていればウインドシールドを開ける信号をパワーウインドのアクチュエータ３１０に送り、自動的にウインドシールドを開ける（Ｓ２４０）。その状態で換気を行い、設定時間経過後にてアクチュエータ３１０によってウインドシールドを閉じる（Ｓ２５０、Ｓ２６０）。
【００５９】
次に、異なる場面における例えば花のニオイＢを放出する（Ｓ２７０）。もしウインドシールドが開いていれば、そのまま異なる場面における例えば花のニオイＢを放出する（Ｓ２３０）。これにより、車載テレビを通して提供される番組やコマーシャルに合せて発生された場面場面のニオイが混合することが無くなり、乗員は本来意図されたニオイの提供を受けることができる。
【００６０】
ここで、上記の第２実施形態では、放出されるニオイが比較的短い時間で異なるニオイに変わる場合を想定したが、同じニオイが比較的長い時間継続するような場合もある。人間の嗅覚は疲労し易いことが知られており、同じニオイを嗅ぎつづけるとそのニオイを感じ難くなる。
【００６１】
従って、同じニオイが比較的長い時間維続する場合においても途中でニオイの供給を中断し、換気を行った後に再度同じニオイを供給することが有効であり、これにより、嗅覚の疲労を防止することができる。また途中で換気を行わない場合にはニオイ原料の放出量を順次大きくすることによってニオイの感受性を補正し、一定の強さのニオイを乗員に提供することができる。
（第３実施形態）
次に、本発明の第３実施形態について添付図面に基づいて説明する。第３実施形態は、空調シスラムの運転状態、即ち、換気量の違いに応じてニオイ合成器７２から放出するニオイ原料の量を変化させ乗員が感じるニオイの強さを補正するものである。図１〜図４については本実施形態においても同様である。
【００６２】
図８は、空調システムの運転状態と放出オるニオイ原料の量の関係を示したものである。外気導入モード（風量強、風量中、風量弱）に比べて、内気循環モードで走行している場合は換気量が小さいため、乗員が感じるニオイの強さを一定にするためにはニオイ原料の放出量も最も少なくする必要がある。
【００６３】
ここで、外気導入モードとは、空調システムにおいて、ファンによって外気を車室内に導入しつつ車室内の内気を放出して換気するモード、内気循環モードは、ファンによって車室内の内気を循環させるモードである。
【００６４】
従って、ニオイ制御ＣＰＵ７１は、内気循環モードであることを示す信号が入力された場合には、定められたように少ないニオイ原料の放出を行う。一方、外気導入モードの場合には、そのファン強度によって換気量が異なるため、ファンの風量が強くなるほどニオイ原料の放出量を増加させる必要がある。
【００６５】
従って、ニオイ制御ＣＰＵ７１は、外気導入モードであることを示す信号が入力された場合には、ファン強度信号に基づきファン強度が強くなるほどニオイ原料の放出を増加させる制御を行う。これにより、乗員は、車載テレビを通して提供される番組やコマーシャルに合せて発生される場面場面のニオイを、空調システムの運転状態、即ち換気量の違いによらず一定の強さで提供を受けることができる。
【００６６】
なお、図８においては、外気導入モードのファンの風量が３段階である例を示したが、この数はこれに限るものではなく、また無段階式の風量調節であっても適用できる。
（第４実施形態）
次に本発明の第４実施形態について添付図面に基づいて説明する。第４実施形態は、ウインドシールドの開閉状態、即ち換気量の違いに応じてニオイ合成器７２から放出するニオイ原料の量を変化させて乗員が感じるニオイの強さを補強するものである。
【００６７】
図１〜図４は本実施形態においても同様である。図９は、ウインドシールドの開閉状態、車速、及び、放出するニオイ原料の量の関係を示したものである。ウインドシールドが全閉状態で走行している場合は換気量が最も少ないため、乗員が感じるニオイの強さを一定にするためにはニオイ原料の放出量も最も少なくする必要がある。従って、ニオイ制御ＣＰＵ７１には、ウインドシールドが全閉状態であることを示す信号が入力された場合には、定められたように少ないニオイ原料放出を行う。
【００６８】
一方、ウインドシールドが開状態の場合にはその程度によって換気量がことなるため、ウインドシールドの開度が大きくなるほどニオイ原料の放出量を増加させる必要がある。また運転席側と助手席側の両方が開状態の場合には一層換気量が増加するため、その開度の合計に応じてニオイ原料の放出量を増加させる必要がある。従って、ニオイ制御ＣＰＵ７１には、ウインドシールドが開状態であることを示す信号が入力された場合、その開度に基づき開度が大きくなるほどニオイ原料放出を増加させる制御を行う。
【００６９】
また、ウインドシールドが開状態の場合、換気量は、車の速度に依存し、車の速度が大きくなるほど換気量が大きくなる。従って、ニオイ原料の放出量も速度に応じて変化させ、その速度が大きくなるほどニオイ原料放とを増加させる制御を行う。図９では、途中でニオイの放出を止める例を示している。これは換気量が一定値以上になると、ニオイを効率的に乗員に届けることができなくなることを考慮したためである。
【００７０】
ウインドシールドの開度および速度と換気量の関係は、車種によって異なるため車種に合せた設定をする必要があり、必ず途中でニオイの放出を止める必要があるわけではない。これにより、乗員は、車載テレビを通して提供される番組やコマーシャルに合せて発生される場面場面のニオイを、ウインドシールドの開閉状態、即ち換気量の違いによらず一定の強さで提供を受けることができる。
（第５実施形態）
次に、本発明の第５実施形態について添付図面に基づいて説明する。第５実施形態は、車室内の湿度に応じてニオイ合成器７２から放出するニオイ原料の量を変化させ、乗員が感じるニオイの強さを補正するものである。すなわち、人間の嗅覚と湿度の関係についての報告として、例えば、第２６回味と匂のシンポジウム論文集Ｐ３４１〜Ｐ３４４「ニオイセンサ及ひきゅう覚に及ぼす湿度の影響」（１９９２年）が挙げられる。
【００７１】
これによれば、環境湿度によってニオイ強度に差が発生し、一部のニオイを除いて低湿度ではニオイを弱く感じることが示されている。図１０は、車室内湿度と放出するニオイ原料の量の関係を示したものである。前記のように湿度が低い場合にはニオイを弱く感じるため、乗員が感じるニオイの強さを一定にするためにはニオイ原料の放出量を多く設定する必要がある。このため、ニオイ制御ＣＰＵ７１は、湿度センサから提供される湿度情報に基づいてニオイ原料の放出の制御を行う。
（第６実施形態）
次に、本発明の第６実施形態について添付図面に基づいて説明する。第６実施形態は、脈波や体温の生体情報信号に基づいて適切なニオイを乗員に提供し、居眠りの防止や快適感を向上させるシステムに関するものである。図１１はその一例を示したものである。
【００７２】
乗員Ａは、ウェアラブル型の生体信号センサ８を身につけており、生体信号センサ８は、脈波や体温等の生体信号を測定し、その信号を電波で送信する機能を有する。受信機能と生体信号処理機能を有する装置７０は、生体信号センサ８からの電波を受信し、乗員Ａが興奮状態にある、あるいは眠りかけているという状態を判定し、その信号をニオイＣＰＵ７１に送る。ニオイＣＰＵ７１は眠りかけている状態であれば覚醒効果のあるニオイ、興奮状態であれば鎮静効果のあるニオイ、平常状態であれば快適感を増すニオイ、というようにマップに基づいて適切なニオイの信号をニオイ合成器７２に送りニオイ４を発生させる。
（第７実施形態）
次に、本発明の第７実施形態について添付図面に基づいて説明する。第７実施形態は、車間距離や相対速度に基づいてニオイを乗員に提供し、ニオイによる警報によって安全性を向上させるシステムに関するものである。図１２は、その一例を示したものである。
【００７３】
自動車の前部には、ミリ波を用いて先行車との距離と相対速度を計測するレーダセンサ９が設けられており、その信号は、レーダ処理回路９１に入力される。ミリ波としては主として７６〜７７ＧＨｚ帯の周波数が用いられる。ミリ波レーダセンサ９は、この周波数帯の範囲で周波数を鋸歯状に掃引した電波を発射する。これが先行車に反射して戻ってくると、その反射電波の周波数は距離に応じた時間遅れの分だけ現時点での発射電波の周波数と異なることになる。
【００７４】
従って、この周波数差をレーダ処理回路９１において解析することによって先行波との距離と相対速度を計測することができる。そして、定められた以上に車間距離が小さくかつ一定値以上の相対速度で接近している場合にはレーダ処理回路９１から警報信号が発生する。ニオイＣＰＵ７１は、この警報信号のレベルに応じて異なるニオイ発生をニオイ合成器７２に指示し、ニオイを発生する。
【００７５】
なお本例ではミリ波を用いたレーダセンサとしたが、光や音波を用いたレーダセンサ、画像処理による車間距離計測センサであっても良い。
（第８実施形態）
次に本発明の第８実施形態について添付図面に基づいて説明する。第８実施形態は、車速や進行方向等の走行状況に基づいて適切なニオイを乗員に提供し、ニオイによる警報によって安全性を向上さセるシステムに関するものである。図１３はその一例を示したものである。３１は車載ナビゲーションシステム、５１は速度メータ、２は空調吹き出し口、４は運転者に注意を促すニオイである。
【００７６】
ナビゲーションシステムを用いることにより進行方向の何メートル先にどの程度の曲率のカーブがあるかを知ることができる。このナビゲーション情報と速度情報を総合してＣＰＵが解析し、現在の速度のままでカーブに進入すれば、車線逸脱などの状況になると推定される場合には、ニオイ４により運転者に注意を促す。これによって安全性を向上させることができる。
【００７７】
なお、図４に示したニオイ合成器７２は自身が送風機を有しているが、図１４に示すごとく、ニオイ合成器７２を自動車の空調ダクト２１の中に設置すれば、既に搭載されている空調システム用の送風機を共用できるため、ニオイ合成器７２の小型化・低コスト化に有効である。
【００７８】
図１４において、２は空調吹き出し口、７２はニオイ合成器、２１は空調ダクト、２２Ｉは空調システム用の送風機である。ニオイ合成器７２を空調吹き出し口２の近くに設置すれば放出したニオイ物質がダクト内に吸着するという問題を小さくでき吸着ニオイ物質との混合の発生を低減できる。
【００７９】
一方、ニオイ合成器７２を奥側（送風機近く）に設置すれば、複数のニオイ構成物質の混合が行われやすくなり、均質なニオイを乗員に提供できる。即ち、ニオイ合成器７２を空調ダクト２１内に設置する位置は、これらを勘案して決める必要がある。
【図面の簡単な説明】
【図１】本発明の第１実施形態に係るニオイを発生するシステムの概略的な構成を示す図である。
【図２】上記第１実施形態にてテレビにニオイ情報を伝達するシステムのブロック構成を示す図である。
【図３】図２に示すニオイ制御ＣＰＵの入出力を示す図である。
【図４】図２に示すニオイ合成器の構成を示す図である。
【図５】上記第１実施形態の作動を示すフローチャートである。
【図６】音声情報と同期してニオイ情報を伝達するシステムのブロック構成示す図である。
【図７】本発明の第２実施形態の作動を示すフローチャートである。
【図８】本発明の第３実施形態において空調システムの運転状態と放出するニオイ原料の量の関係を示す図である。
【図９】本発明の第４実施形態においてウインドシールドの開閉状態、車速、及び、放出するニオイ原料の量の関係を示す図である。
【図１０】本発明の第５実施形態において車室内湿度と放出するニオイ原料の量の関係を示す図である。
【図１１】本発明の第６実施形態においてニオイを発生するシステムを示す図である。
【図１２】本発明の第７実施形態においてニオイを発生するシステムを示す図である。
【図１３】本発明の第８実施形態においてニオイを発生するシステムを示す図である。
【図１４】ニオイ合成器を空調ダクトの中に設置した例を示す図である。
【符号の説明】
７２…ニオイ合成器。
【図１】
0004626076.tif 000002
【図２】
0004626076.tif 000003
【図３】
0004626076.tif 000004
【図４】
0004626076.tif 000005
【図５】
0004626076.tif 000006
【図６】
0004626076.tif 000007
【図７】
0004626076.tif 000008
【図８】
0004626076.tif 000009
【図９】
0004626076.tif 000010
【図１０】
0004626076.tif 000011
【図１１】
0004626076.tif 000012
【図１２】
0004626076.tif 000013
【図１３】
0004626076.tif 000014
【図１４】
0004626076.tif 000015